(57)【要約】【課題】計量ミスによる樹脂の無駄を減少する。【解決手段】樹脂封止に使用するために所定量の粉状又は粒状の樹脂を計量・供給する樹脂計量供給装置であって、樹脂を計量・分離可能な計量部１４０と、計量部１４０により計量・分離された樹脂が、所定量を超えていた場合に計量・分離後の前記樹脂を破棄する破棄手段と、を備え、計量部１４０が、所定量を複数に分割して異なる容器（第１容器１２０Ａ、第４容器１２０Ｄ）に対して計量・分離し、破棄手段が、第４容器に保持される樹脂を破棄するように構成する。【選択図】図１
2008221670.tif 000002
【特許請求の範囲】
【請求項１】
樹脂封止に使用するために所定量の粉状又は粒状の樹脂を計量・供給する樹脂計量供給装置であって、
前記樹脂を計量・分離可能な計量部と、
前記計量部により計量・分離された前記樹脂を一時的に保持可能な複数の容器と、
前記計量部により計量・分離された前記樹脂が前記所定量を超えた場合に、計量・分離後の前記樹脂の一部を破棄する破棄手段と、を備え、
前記計量部が、前記所定量を分割して前記複数の容器に対して計量・分離し、
前記破棄手段が、前記複数の容器のうち１の容器に保持される前記樹脂を破棄する
ことを特徴とする樹脂計量供給装置。
【請求項２】
請求項１において、
前記計量部が、前記所定量に満たない範囲で前記所定量の概量を計量・分離可能な粗計量部と、該粗計量部の計量値と前記所定量との差分を前記粗計量部より精密に計量・分離可能な微計量部と、を有した構成とされている
ことを特徴とする樹脂計量供給装置。
【請求項３】
請求項２において、
前記複数の容器が、前記粗計量部により計量・分離された前記樹脂を保持する粗計量部用容器と、前記微計量部により計量・分離された前記樹脂を保持する微計量部用容器と、を含み、
該微計量部用容器が前記破棄手段を兼ねている
ことを特徴とする樹脂計量供給装置。
【請求項４】
請求項２において、
前記破棄手段が、前記微計量部と前記複数の容器のうちの一の容器との間に進入可能なスイングシリンダと、該スイングシリンダに連結された前記複数の容器のうちの一の容器としてのスイング容器とを有した構成とされている
ことを特徴とする樹脂計量供給装置。
【請求項５】
請求項２乃至４において、
前記微計量部による計量値と前記粗計量部の計量値との合算値が前記所定量を超えた場合に、前記微計量部により計量・分離された前記樹脂のみが破棄される
ことを特徴とする樹脂計量供給装置。
【請求項６】
請求項２乃至４において、
前記微計量部による計量値が前記差分を超えた場合に、前記微計量部により計量・分離された前記樹脂のみが破棄される
ことを特徴とする樹脂計量供給装置。
【請求項７】
請求項１乃至６のいずれかにおいて、
前記破棄手段により破棄された前記樹脂が再利用される
ことを特徴とする樹脂計量供給装置。
【発明の詳細な説明】
【技術分野】
【０００１】
本発明は、半導体チップ等を搭載した基板を樹脂にて圧縮封止する樹脂封止装置の技術分野に関する。
【背景技術】
【０００２】
近年、半導体チップ等の製品を樹脂にて封止する装置として、いわゆる圧縮型の樹脂封止装置に対する需要が高まっている。このような圧縮型の樹脂封止装置として、図５にて示した樹脂封止装置１が公知である（特許文献１参照）。樹脂封止装置１は、上型２と下型４とから構成されている。又、この下型４にはプレス（図示しない）が連結されており、所定のタイミングで下型４を上型２に対して接近、離反することが可能とされている。下型４は、貫通孔５を備えた枠状金型４Ｂと当該貫通孔５に嵌合して配置される圧縮金型４Ａとを有した構成とされ、下型４の対向面（上型２側表面）の一部に形成されるキャビティ４０において被成形品６０を樹脂８０にて圧縮封止する。このような圧縮形成の場合には、被成形品６０と共に金型内に予め計量した樹脂８０を投入し圧縮して封止するため、成形品の精度（特に厚みの精度）は投入する樹脂量の変動に依存することになる。そのため、投入される樹脂の量はできるだけ精度良く計量されて金型内へと投入されることが重要となる。
【０００３】
圧縮成形に用いられる樹脂は、例えば粉状、粒状のものが利用される場合が多い。このような粉状、粒状の樹脂を正確に計量して供給する装置として、図６に示す樹脂計量供給装置９０が知られている（特許文献２参照）。
【０００４】
樹脂計量供給装置９０は、電子天秤９６の上に配置された支柱９８に対して、樹脂が供給されるホッパ９２と、樹脂の出口となる供給ノズル９３が設置された構成とされている。又、支柱９８には振動子９５が設けられている。また、電子天秤９６及び振動子９５には、演算装置９７が接続されている。供給ノズル９３から供給された樹脂は、フィーダ９４を介して樹脂供給先であるキャビティ８０にホッパ９２内の樹脂と分離された形で供給される。樹脂の供給は、演算装置９７からの指令により、支柱９８に設置された振動子９５が振動することによって行なわれる。又、この供給により樹脂が樹脂供給先であるキャビティ８０へと供給されると、電子天秤９６によって計量される計量値が減少する。この減少した量を演算装置９７によって検知した上で、所定のタイミングで振動子９５の振動を止め、供給を停止させることが可能とされている。このような構成及び作用によって、当該樹脂計量供給装置９０は樹脂を正確に計量供給することが可能とされている。
【０００５】
【特許文献１】特開２００５−２１９２９７号公報
【特許文献２】特開平９−５１４８号公報
【発明の開示】
【発明が解決しようとする課題】
【０００６】
前述した樹脂計量供給装置９０のように、計量した樹脂を直接金型等の供給先へと供給した場合には、計量ミスが生じた場合の対処が複雑となる。即ち、例えば、所定量を超える樹脂が供給先へと供給されてしまった場合には、供給先の装置（例えば樹脂封止装置）を一旦停止させて樹脂を取り除く（清掃する）必要がある。これでは供給先の装置のサイクルタイムが著しく低下してしまう。このような不都合を回避するべく、発明者は既に図７に示す未公知の樹脂計量供給装置９１を提案済みである。この樹脂計量供給装置９１は、図６で示した樹脂計量供給装置９０に保持部６０を設けたものである。即ち、樹脂計量供給装置９０から直接キャビティ等の供給先へと樹脂を供給するのではなく、一旦、保持部６０を構成する第１容器５０又は第２容器５２に樹脂３０を一時的に保持させた上で、計量値が適正な場合に初めて供給先へと供給し、計量値が適正でない場合には保持する樹脂３０を破棄可能している。このような構成を採用することで、万が一、計量ミスが生じた場合でも、当該容器５０、５２内の樹脂３０を破棄すればよく、供給先の装置等を一旦停止させて樹脂を取り除く等の煩雑な作業を回避することが可能となっていた。
【０００７】
しかしながら、このような構成では容器５０、５２に入れられた樹脂（計量ミスが生じた樹脂）を全量破棄する必要があり、（樹脂の性質上再利用が難しい場合には）樹脂の無駄が大きくなってしまう。また、全量破棄した場合には、再度「全量」を計量し直す必要があることから、再計量が完了するまでに相応の時間を要し、場合によっては当該時間により供給先の装置に樹脂の「供給待ち」が生じる可能性がある。
【０００８】
本発明は、これらの問題点を解決するべくなされたものであって、破棄しなければならない樹脂の絶対量を低減するとともに、再供給に要する時間を短縮することをその課題としている。
【課題を解決するための手段】
【０００９】
本発明は、樹脂封止に使用するために所定量の粉状又は粒状の樹脂を計量・供給する樹脂計量供給装置であって、前記樹脂を計量・分離可能な計量部と、前記計量部により計量・分離された前記樹脂を一時的に保持可能な複数の容器と、前記計量部により計量・分離された前記樹脂が、前記所定量を超えた場合に計量・分離後の前記樹脂の一部を破棄する破棄手段と、を備え、前記計量部が、前記所定量を分割して前記複数の容器に対して計量・分離し、前記破棄手段が、前記複数の容器のうち１の容器に保持される前記樹脂を破棄することで、上記課題を解決するものである。
【００１０】
このような構成を採用することで、計量ミスにより所定量を超えた場合に破棄する樹脂の量を低減させることが可能となった。即ち、計量部によって、「所定量」を超えない範囲で略所定量に近い樹脂の概量を計量・分離しておき複数の容器のうちの所定の容器に保持させる。その後、その当該概量と所定量との差分を求めた上で当該差分のみを計量部によって計量・分離し、他方の容器に保持させる。即ち、「所定量」を分割した形で異なる容器に計量・分離を行なう。その結果、両者の計量値の合算した値が所定量を超えた場合には、他の容器側に保持される樹脂（所謂「差分」として計量・分離された樹脂）のみを破棄することによって、破棄すべき樹脂量を低減させることが可能となっている。更に、破棄する樹脂量そのものが低減することから、破棄後再計量する場合にも、再計量しなければならない絶対量が少ないため、再計量に要する時間も短くてよい。その結果、樹脂の供給先に対して再供給待ちの時間の発生の防止、低減が可能となる。
【００１１】
更に、粉状又は粒状の樹脂のままで破棄可能としているため（ラインから外しているため）、当該破棄された樹脂の再利用の余地が残されている。半導体チップ等が搭載された基板を樹脂封止するために利用される樹脂（熱硬化性樹脂）には、樹脂の種類等に応じた特有のポットライフが存在し、このポットライフを経過した樹脂はもはや樹脂封止に使用することは不可能となる。そのため、このポットライフを十分残した範囲内で再利用すべき樹脂のラインへの復帰を完了させる必要がある。本発明のように、計量直後の段階で樹脂を破棄する（一旦ラインから外す）ことで、当該ポットライフが闇雲に経過することを防止している。特に、「最後」に差分として計量した樹脂は、ポットライフの経過という観点からも、最も再利用し易く、再利用の価値のある樹脂である。
【００１２】
また、前記計量部が、前記所定量に満たない範囲で前記所定量の概量を計量・分離可能な粗計量部と、該粗計量部の計量値と前記所定量との差分を前記粗計量部よりも精密に計量・分離可能な微計量部と、を有した構成を採用してもよい。このような構成を採用することで、樹脂の迅速且つ精密な供給を高い次元で両立させることが可能となっている。即ち、迅速性を担保するための粗計量部と精密性を担保するための微計量部をそれぞれ設けることで、各計量部をそれぞれの目的に応じて専用設計することが可能となる。具体的には、例えば、粗計量部の樹脂の「経路」は大きく確保し、微計量部の樹脂の「経路」は精密さに応じて小さく設計することができる。その結果、粗計量部により所定量に満たない範囲で概量を迅速に計量・分離し、その後「差分」を微計量部によって精密に計量・分離することで、樹脂の迅速且つ精密な供給を可能としている。
【００１３】
また、前記複数の容器が、前記粗計量部により計量・分離された前記樹脂を保持する粗計量部用容器と、前記微計量部により計量・分離された前記樹脂を保持する微計量部用容器と、を含み、該微計量部用容器が前記破棄手段を兼ねるように構成してもよい。このように構成すれば、別途独立した破棄手段を設ける必要がない。
【００１４】
また、前記破棄手段が、前記微計量部と前記複数の容器のうちの一の容器との間に進入可能なスイングシリンダと、該スイングシリンダに連結された前記複数の容器のうちの一の容器としてのスイング容器とを有した構成を採用してもよい。このような構成を採用すれば、保持部に備わる容器自身を破棄手段として機能させる必要がないため、保持部（容器）の制御を複雑とする必要がない。
【００１５】
また、前記破棄手段により破棄された前記樹脂を、再利用するように構成してもよい。これにより、より一層の樹脂の無駄を防止することが可能となる。
【００１６】
なお、ここでいう「分離」とは、当該樹脂計量供給装置が行う外部への「供給」との明確な区別のために用いた言葉であり、計量される以前の「集合体としての樹脂」から計量後の樹脂を切り出すことによって分離し、次段（例えば保持部）へと投入することを含んだ概念である。
【００１７】
又、本発明における樹脂の「所定量」、とは、許容される誤差を含んだ概念である。即ち、樹脂が、所定量の許容誤差の範囲を超えて計量・分離された場合に、破棄手段によって破棄されることとなる。
【発明の効果】
【００１８】
本発明を適用することにより樹脂コストの低減、再供給までの時間の短縮を図ることができる。
【発明を実施するための最良の形態】
【００１９】
最初に、図１を参照しつつ、本発明の実施形態の一例である樹脂計量供給装置１００の構成を説明する。図１は、本発明の実施形態の一例を示す樹脂供給機構１００の平面図であって、概略的な構成を示したものである。
【００２０】
樹脂計量供給装置１００は、粉状又は粒状の樹脂を計量・分離可能な計量部１４０と、当該計量部１４０にて計量・分離された樹脂を一時的に保持可能な保持部１０１とから構成される。この計量部１４０は図示せぬ演算装置や電子天秤を有して構成されており、計量値をリアルタイムで確認しつつ計量しながら分離し、後述する保持部に対して供給することが可能とされている。計量部１４０は、樹脂を迅速に計量・分離可能な粗計量部１４０Ａと、樹脂を精密に計量・分離可能な微計量部１４０Ｂとを備えた構成とされている。本実施形態では、これら粗計量部１４０Ａ及び微計量部１４０Ｂは、それぞれが計量・分離しようとする樹脂の量に応じて専用設計がなされている。即ち、専用設計とすることで、樹脂の迅速且つ精密な供給を高い次元で両立させることが可能となっている。即ち、迅速性を担保するための粗計量部１４０Ａと精密性を担保するための微計量部１４０Ｂをそれぞれ設けることで、各計量部１４０Ａ、１４０Ｂをそれぞれの目的に応じて専用設計することが可能となる。具体的には、例えば、粗計量部１４０Ａでの樹脂の「経路」は大きく確保し、微計量部１４０Ｂでの樹脂の「経路」は精密さに応じて小さく設計することができる。その結果、粗計量部１４０Ａにより所定量に満たない範囲で概量を迅速に計量・分離し、その後「差分」を微計量部１４０Ｂによって精密に計量・分離することで、樹脂の迅速且つ精密な供給を可能としている。また、専用設計とすることで、微計量部１４０Ｂをコンパクトに構成することも可能となっている。
【００２１】
一方、保持部１０１は、回転中心Ｏを中心として回転可能な回転テーブル（位置変換機構）１１０に対して、４つの容器（第１容器１２０Ａ、第２容器１２０Ｂ、第３容器１２０Ｃ、第４容器１２０Ｄ）が備わった構成とされている。又、これら各容器（第１容器１２０Ａ、第２容器１２０Ｂ、第３容器１２０Ｃ、第４容器１２０Ｄ）は、独立して上下反転することにより当該容器内に保持する樹脂を外部（例えば樹脂供給先や破棄トレイなど、詳細は後述する。）へと放出することが可能とされている。
【００２２】
粗計量部１４０Ａは、前述したとおり樹脂を迅速に計量・分離することが可能である。即ち、当該樹脂計量供給装置１００が供給しようとする樹脂の所定量に満たない範囲で、供給すべき樹脂の「所定量の概量」を計量し分離している。この粗計量部１４０Ａの特徴としては、樹脂を迅速に計量することができることである。一方、微計量部１４０Ｂは、ある「量」に対して精密に樹脂を計量した上で分離することが可能である。但し、その性格上、大量の樹脂を計量する場合には、前述した粗計量部１４０Ａに比べ計量のための時間を要する場合がある。
【００２３】
次に、図１（Ａ）乃至（Ｃ）の順に従って当該樹脂計量供給装置１００の作用について説明する。
【００２４】
最初に図１（Ａ）に示すように、粗計量部１４０Ａによって、第１容器１２０Ａに対してある程度の樹脂（即ち、当該樹脂計量供給装置１００が供給しようとする樹脂の「所定量」の概量）が計量・分離される。ここでの計量・分離は粗計量部１４０Ａによって行われており、迅速に完了する。また、第１容器１２０Ａに保持された樹脂は、当該樹脂計量供給装置１００が供給しようとする樹脂の「所定量」よりも僅かに少ない量となっている。粗計量部１４０Ａから第１容器１２０Ａに対して計量・分離された樹脂の量は、粗計量部１４０Ａに備わる演算装置によってリアルタイムで監視されているため、粗計量部１４０Ａから第１容器１２０Ａに対する樹脂の計量・分離が終了した段階で、「所定量」に対する不足分（いわゆる「差分」）が瞬時に計算される。この計算結果に基づいて、図１（Ｂ）に示すように、微計量部１４０Ｂから第４容器１２０Ｄに対して当該「差分」の樹脂の計量・分離が行なわれる。微計量部１４０Ｂは、精密に樹脂を計量し第４容器１２０Ｄへと分離することが可能である。また、当該「差分」自体の絶対量が少ないために、微計量部１４０Ｂによって精度のよい計量が行われた場合でも、計量が完了するまでに要する時間は短くて済む。また、万が一計量ミス等によって第４容器１２０Ｄに対して計量・分離すべき樹脂量が多過となった場合（即ち、第１容器１２０Ａと、第４容器１２０Ｄとに保持される樹脂の合算値が当該樹脂計量供給装置１００が供給しようとする「所定量」を超えている場合や、第４容器１２０Ｄに対して計量・分離した樹脂の量が算出した「差分」を超えている場合）には、当該第４容器１２０Ｄに保持される樹脂（所謂「差分」として計量・分離された樹脂）のみが破棄される。当該破棄は、本実施形態では、第４容器が反転することによって実現される。このような場合には、微計量部１４０Ｂによって再度第４容器１２０Ｄに対して「差分」の樹脂が計量・分離される必要があるが、破棄された樹脂は「差分」のみでありその絶対量が少ないため、再度の計量・分離に要する時間が短くて済む。再度の計量・分離によって、第１容器１２０Ａに保持される樹脂量と、第４容器１２０Ｄに保持される樹脂量とが「所定量」となった場合に、初めて供給先へと樹脂が供給される。この供給は、図１（Ｃ）に示すように、回転テーブル１１０が１８０°回転した後、第１容器１２０Ａ及び第４容器１２０Ｄが反転し、両容器１２０Ａ、１２０Ｄに保持される樹脂が合算されて供給先へと供給される。その後は回転テーブル１１０が１８０°回転した状態のまま図１（Ａ）の状態へと戻り、同様の供給が繰り返されることとなる。
【００２５】
このように、本実施形態における樹脂計量供給装置１００においては、計量部１４０を粗計量部１４０Ａと微計量部１４０Ｂとに分けて構成し、粗計量部１４０Ａの計量・分離が終った段階で最終的な供給量に対する「差分」を求め、当該「差分」を微計量部１４０Ｂによって「別の容器」に計量・分離するという手法をとっている。このような手法を採用したことで、両方の計量部１４０Ａ、１４０Ｂから計量・分離された樹脂の合算値が、当該樹脂計量供給装置１００が供給しようとする樹脂の「所定量」を結果的に超えた場合には、微計量部１４０Ｂによって計量・分離された絶対量の少ない樹脂のみを破棄することによって、計量ミスが生じた際に破棄される樹脂の絶対量を低減することが可能となっている。更に、樹脂を破棄した場合でも破棄した樹脂の絶対量が少ないため、再度の計量・分離のために要する時間が短く済む。即ち、当該樹脂計量供給装置１００の供給先において、「樹脂の供給待ち」という状態が発生することを防止、低減している。
【００２６】
次に、図２を用いて本発明の他の実施形態の一例について説明する。なお、前述した樹脂計量供給装置１００と同一又は類似する部分については数字下２桁が同一の符号を付するに止め、重複した構成及び作用の説明は省略する。
【００２７】
図２で示す樹脂計量供給装置２００においては、図１で示した樹脂計量供給装置１００のようにそれぞれ別々の容器に対して粗計量部１４０Ａ及び微計量部１４０Ｂから樹脂が計量・分離されるのではなく、１つの容器に対して順次粗計量部１４０Ａから樹脂が計量分離された後に微計量部１４０Ｂから樹脂が計量・分離される点が異なっている。以下具体的に説明する。
【００２８】
樹脂計量供給装置２００は、最初に第１容器２２０Ａに対して粗計量部２４０Ａからある程度の樹脂が計量されて分離される。
【００２９】
かかる樹脂の計量・分離が完了すると、回転テーブル２１０が反時計周りに約１２０°回転する（同図（Ｂ）参照）。即ち、粗計量部２４０Ａに対応する位置にあった第１容器２２０Ａが、微計量部２４０Ｂに対応する位置にまで移動する。同時に、第２容器２２０Ｂが、粗計量部２４０Ａに対応する位置にまで移動してくる。その後、第１容器２２０Ａに対しては、続く微計量部２４０Ｂによって、「差分」の樹脂が計量されて分離される。一方、第２容器２２０Ｂに対しては、粗計量部２４０Ａによって樹脂が計量・分離される。
【００３０】
かかる工程が完了すると再び回転テーブル２１０が反時計周りに約１２０°回転し、図２（Ｃ）の状態になる。即ち、微計量部２４０Ｂによって「差分」の樹脂が追加的に計量・分離された第１容器２２０Ａが供給先への樹脂供給位置へと移動し、第１容器２２０Ａに保持される樹脂が供給先へと供給される。同時に第２容器２２０Ｂに対しては「差分」の樹脂が微計量部２４０Ｂによって追加的に計量・分離される。同時に、第３容器２２０Ｃに対しては粗計量部２４０Ａによって樹脂が計量・分離される。その後は図２（Ｂ）の状態に戻り、順次同様に樹脂の計量・分離と供給が繰り返されることとなる。
【００３１】
なお、当該樹脂計量供給装置２００において、微計量部２４０Ｂによって「差分」の樹脂が計量・分離された結果、粗計量部２４０Ａにより計量・分離された樹脂の量と微計量部２４０Ｂにより計量・分離された樹脂の量とが当該樹脂計量供給装置２００の供給すべき「所定量」を超えた場合や、微計量部２４０Ｂにより計量・分離された樹脂の量が「差分」を超えている場合には、図３に示すような方法で樹脂が廃棄されることとなる。図２では図示していないが、樹脂計量供給装置２００における、微計量部２４０Ｂと各容器との間には、スイング容器２６４を有するスイングシリンダ２６２が進入可能とされている。このスイング容器２６４を有するスイングシリンダ２６２が本実施形態においては破棄手段２６０として機能する。即ち、微計量部２４０Ｂが各容器に対して樹脂を計量・分離する際には、スイングシリンダ２６２によってスイング容器２６４が微計量部２４０Ｂと各容器との間に侵入し、一旦、当該スイング容器に対して微計量部２４０Ｂからの樹脂の計量・分離が行なわれる。その結果、粗計量部２４０Ａにより計量・分離された樹脂量と、当該微計量部２４０Ｂにより計量・分離された樹脂の量とが結果的に「所定量」となった場合に初めて当該スイング容器２６４がスイングし、当該スイング容器２６４の下に位置する各容器２２０Ａ、２２０Ｂ、２２０Ｃに対して微計量部２４０Ｂによって計量・分離された「差分」の樹脂が投入される。一方、スイング容器２６４に対して計量・分離された樹脂と粗計量部２４０Ａによって計量・分離された樹脂の量の合算値が結果として「所定量」を超えていた場合には、スイングシリンダ２６２が後退し、スイング容器２６４に保持される樹脂を破棄トレイ２５０へと破棄することが可能となっている。
【００３２】
次に、図４を用いて更に他の実施形態の一例について説明する。図４にて示す樹脂計量供給装置３００は、図２で示した樹脂計量供給装置２００の樹脂の供給態様を並列供給（マルチ供給）に対応させたものである。
【００３３】
ここでも、第１容器３２０Ａから順次第２容器３２０Ｂ、第３容器３２０Ｃ、更には第４容器３２０Ｄへと順次粗計量部３４０Ａによってある程度の樹脂（概量の樹脂）が計量・分離された後、微計量部３４０Ｂによって「差分」の樹脂が計量・分離されることとなる。
【００３４】
最初に図４（Ａ）〜（Ｂ）に示したように、第１容器３２０Ａに対して粗計量部３４０Ａによってある程度の樹脂（概量の樹脂）が計量・分離される。次に、回転テーブル３１０が反時計周りに９０°回転する。その後図４（Ｃ）に示すように、第１容器３２０Ａに対して微計量部３４０Ｂによって「差分」の樹脂が計量・分離されると同時に、第２容器３２０Ｂには粗計量部３４０Ａによってある程度の樹脂（概量の樹脂）が計量・分離される。続いて再度回転テーブル３１０が反時計周りに９０°回転する。その後図４（Ｄ）に示すように、第２容器３２０Ｂに対して微計量部３４０Ｂによって「差分」の樹脂が計量・分離されると同時に、第３容器３２０Ｃには粗計量部３４０Ａによってある程度の樹脂（概量の樹脂）が計量・分離される。続いて再度回転テーブル３１０が反時計周りに９０°回転する。その後図４（Ｅ）に示すように、第３容器３２０Ｃに対して微計量部３４０Ｂによって「差分」の樹脂が計量・分離されると同時に、第４容器３２０Ｄには粗計量部３４０Ａによってある程度の樹脂（概量の樹脂）が計量・分離される。かかる時点において、第１容器３２０Ａ及び第２容器３２０Ｂには既に所定量の樹脂が保持されているため、それぞれが所定のタイミングで供給されることとなる（図４（Ｆ））。その後は、図４（Ｃ）に相当する工程に戻り順次同様の作用が繰り返される。
【００３５】
なお、図面上現れていないが、微計量部３４０Ｂから各容器に対して樹脂を供給する際に、一旦スイングシリンダに連結されたスイング容器に樹脂を供給した上で各容器に投入される点については同様である。
【００３６】
また、上記の実施形態全てにおいて、破棄された樹脂はそのまま破棄するだけでなく、再利用することが可能である。これにより更に樹脂の無駄を防止することができる。なおこのように再利用可能となるのは、本実施形態のように樹脂の「計量後直ぐ」に樹脂を破棄しているため、樹脂のポットライフが未だそれ程多く経過していないことから可能となっているものである。
【００３７】
なお、上記の実施形態では全て、計量部が粗計量部と微計量部とに分かれて構成されていたが当該構成が本発明の必須の構成要素ではない。即ち、計量部自体は単一であっても、当該単一の計量部から異なる容器に対して「所定量」が分割されて計量・分離されれば、「破棄しなければならない樹脂の絶対量を低減するとともに、再供給に要する時間を短縮する」という目的は達成可能である。また、単一の計量部であっても、それぞれの容器に対して計量・分離する際の態様（例えば振動子の振動（振幅）量を適宜変化させること）によって、（粗計量部と微計量部のように専用設計した場合には及ばないものの）ある程度のレベルで、樹脂の迅速且つ精密な供給を実現できる。
【産業上の利用可能性】
【００３８】
本発明は、圧縮成形金型に対する樹脂計量供給装置として、又、プレ成形装置に対する
樹脂計量供給装置として好適である。
【図面の簡単な説明】
【００３９】
【図１】本発明の実施形態の一例を示す樹脂計量供給装置１００の平面図
【図２】本発明の実施形態の一例を示す樹脂計量供給装置２００の平面図
【図３】樹脂計量供給装置２００に備わる破棄手段としてのスイングシリンダの概略構成図
【図４】本発明の実施形態の一例を示す樹脂計量供給装置３００の平面図
【図５】特許文献１に記載される圧縮型の樹脂封止装置の概略構成図
【図６】特許文献２に記載される樹脂計量供給装置の概略構成図
【図７】未公知の樹脂計量供給装置９１の概略構成図
【符号の説明】
【００４０】
１００…樹脂計量供給装置
１０１…保持部
１１０…回転テーブル（位置変換機構）
１２０Ａ…第１容器
１２０Ｂ…第２容器
１２０Ｃ…第３容器
１２０Ｄ…第４容器
１４０Ａ…粗計量部
１４０Ｂ…微計量部
Ｏ…回転中心
【図１】
2008221670.tif 000003
【図２】
2008221670.tif 000004
【図３】
2008221670.tif 000005
【図４】
2008221670.tif 000006
【図５】
2008221670.tif 000007
【図６】
2008221670.tif 000008
【図７】
2008221670.tif 000009